(57)【要約】【課題】簡単操作のＣＡＴＶ用受信端末装置を提供する。【解決手段】少なくとも，表示装置に，ＣＡＴＶセンターから送出される信号を受信するための受信装置を内蔵させ，前記ＣＡＴＶ用受信端末装置の電源オン操作と連携して，前記受信装置が動作状態となるように構成したＣＡＴＶ用受信端末装置。前記ＣＡＴＶ用受信端末装置には，少なくとも，前記入力装置と前記ＣＡＴＶ用受信端末装置とを接続するための少なくとも１つの第１の接続端子と，前記パーソナルコンピュータと前記ＣＡＴＶ用受信端末装置とを接続するための少なくとも１つの第２の接続端子とを備え，前記入力装置と前記パーソナルコンピュータとは前記ＣＡＴＶ用受信端末装置を介して接続されるように構成した。【選択図】  図１
2006324932.tif 000002
【特許請求の範囲】
【請求項１】
少なくとも，表示装置に，ＣＡＴＶセンターから送出される信号を受信するための受信装置を内蔵させ，前記表示装置の電源オン操作と連携して，前記受信装置が動作状態となるように構成したことを特徴としたＣＡＴＶ用受信端末装置。
【請求項２】
前記ＣＡＴＶ用受信端末装置に，少なくとも，パーソナルコンピュータと，入力装置とを備えたことを特徴とした請求項１に記載のＣＡＴＶ用受信端末装置。
【請求項３】
前記入力装置に前記ＣＡＴＶ用受信端末装置の電源オン操作する操作部を備え，該操作部によって前記ＣＡＴＶ用受信端末装置の電源オン操作と，これに連動して前記受信装置又は前記パーソナルコンピュータの何れか一方若しくは両方が，動作状態となるように構成したことを特徴とした請求項２に記載のＣＡＴＶ用受信端末装置。
【請求項４】
前記ＣＡＴＶ用受信端末装置には，少なくとも，前記入力装置と前記ＣＡＴＶ用受信端末装置とを接続するための少なくとも１つの第１の接続端子と，前記パーソナルコンピュータと前記ＣＡＴＶ用受信端末装置とを接続するための少なくとも１つの第２の接続端子とを備え，前記入力装置と前記パーソナルコンピュータとは前記ＣＡＴＶ用受信端末装置を介して接続されるように構成したことを特徴とした請求項２又は請求項３に記載のＣＡＴＶ用受信端末装置。
【請求項５】
前記ＣＡＴＶ用受信端末装置に，ＨＤＤ又はＤＶＤレコーダを内蔵し，前記受信装置が受信したＣＡＴＶ信号を，前記ＨＤＤ又はＤＶＤレコーダの記録媒体に記録するように構成したことを特徴とした請求項１乃至請求項４の何れか１項に記載のＣＡＴＶ用受信端末装置。
【発明の詳細な説明】
【技術分野】
【０００１】
本発明は，主に薄型のテレビを用いたＣＡＴＶ用受信端末装置に関し，詳しくはそのＣＡＴＶ用受信端末装置の回路構成に関する。
【背景技術】
【０００２】
従来のパーソナルコンピュータ（以下，パソコンと記載する）において，テレビジョン放送を視聴しようとする場合は，パソコンに，テレビチューナユニットを備えたＰＣカードを備えさせたり，パソコンに内蔵させたりしたテレビチューナユニットから得られたデータから，該パソコンを介して液晶ディスプレイへ出力する構成と成っていた。
（例えば，特許文献１参照）
【０００３】
【特許文献１】特開平９−２４７６３２号公報
【発明の開示】
【発明が解決しようとする課題】
【０００４】
しかし，従来のパソコンのディスプレイによってＣＡＴＶを見ようとする場合，パソコンの電源を立ち上げない限り，液晶ディスプレイを使ってテレビ放送ばかりでなくＣＡＴＶを見ることが出来ないといった問題があった。
そこで本願においては，こうした問題点を解決するためになされたものであり，
その目的は，液晶ディスプレイだけでテレビ放送ばかりでなくＣＡＴＶを簡単に見ることができるようにする。
他の目的は，液晶ディスプレイを介してマウスやキーボード等の入力装置を接続し，これらのパソコンの入力装置を利用してテレビの選局や音量調整などのコントロールを行えるようにすることにより，専用のリモコン装置でなくともリモートコントロールできるようにする。
他の目的は，液晶ディスプレイを介して接続された各装置は，それぞれ独立して動作するように構成されていると共に，相互に連携して動作するように構成することで，操作を簡単にする。換言すれば，テレビを視聴するのに，パソコンの電源を入れる必要がないようにする。
尚，前記液晶ディスプレイは薄型テレビの好適な例として示したものであり，特にこれに限定されるものではない。
【課題を解決するための手段】
【０００５】
上記課題を解決するために，請求項１の発明は，少なくとも，表示装置に，ＣＡＴＶセンターから送出される信号を受信するための受信装置を内蔵させ，前記表示装置の電源オン操作と連携して，前記受信装置が動作状態となるように構成した。
【０００６】
請求項２の発明は，請求項１に記載のＣＡＴＶ用受信端末装置において，少なくとも，前記ＣＡＴＶ用受信端末装置に，パーソナルコンピュータと，入力装置とを備るように構成した。
【０００７】
請求項３の発明は，請求項２に記載のＣＡＴＶ用受信端末装置において，前記入力装置に前記ＣＡＴＶ用受信端末装置の電源オン操作する操作部を備え，該操作部によって前記ＣＡＴＶ用受信端末装置の電源オン操作と，これに連動して前記受信装置又は前記パーソナルコンピュータの何れか一方若しくは両方が，動作状態となるように構成した。
【０００８】
請求項４の発明は，請求項２又は請求項３に記載のＣＡＴＶ用受信端末装置において，前記ＣＡＴＶ用受信端末装置には，少なくとも，前記入力装置と前記ＣＡＴＶ用受信端末装置とを接続するための少なくとも１つの第１の接続端子と，前記パーソナルコンピュータと前記ＣＡＴＶ用受信端末装置とを接続するための少なくとも１つの第２の接続端子とを備え，前記入力装置と前記パーソナルコンピュータとは前記ＣＡＴＶ用受信端末装置を介して接続されるように構成した。
【０００９】
請求項５の発明は，請求項１乃至請求項４に記載のＣＡＴＶ用受信端末装置において，前記ＣＡＴＶ用受信端末装置に，ＨＤＤ又はＤＶＤレコーダを内蔵し，前記受信装置が受信したＣＡＴＶ信号を，前記ＨＤＤ又はＤＶＤレコーダの記録媒体に記録するように構成した。
【発明の効果】
【００１０】
請求項１の発明によれば，少なくとも，表示装置に，ＣＡＴＶセンターから送出される信号を受信するための受信装置を内蔵させ，前記表示装置の電源オン操作と連携して，前記受信装置が動作状態となるように構成したので，
前記ＣＡＴＶ用受信端末装置だけでテレビ受信ができるので，操作性がよく簡単に取扱えるＣＡＴＶ用受信端末装置を提供できる。
【００１１】
請求項２の発明は，請求項１に記載のＣＡＴＶ用受信端末装置において，少なくとも，前記ＣＡＴＶ用受信端末装置に，パーソナルコンピュータと，入力装置とを備えたので，
例えば，前記ＣＡＴＶ用受信端末装置の電源をオンにするだけで，パーソナルコンピュータの電源の立ち上げがなされていても，いなくても，操作性のよいテレビ受信機として簡単にテレビ放送ばかりでなくＣＡＴＶを楽しむことができる。
また，ＣＡＴＶ用受信端末装置の電源操作に連動させてパソコンを立ち上げたならば，前記入力装置としてのマウスやキーボードが，前記パソコンの入力装置として使用できるようになるのは勿論のこと，該入力装置を前記ＣＡＴＶ用受信端末装置に対するリモートコントロール等としても利用できるように構成することによって，前記入力装置の操作によって，例えばテレビ画面上に出たメニューから希望のチャンネル等を選択できることから，従来のようにリモコン装置がＣＡＴＶ用受信端末装置の近傍になくて，リモコン装置をいちいち探し出し，当該リモコンの操作によって前記表示装置を操作するといった手間もかからないことになり，誰でも簡単な操作でテレビ放送ばかりでなくＣＡＴＶのチャンネルや音声の選択等ができるＣＡＴＶ用受信端末装置を提供できる。
【００１２】
請求項３の発明は，請求項２に記載のＣＡＴＶ用受信端末装置において，前記入力装置に前記ＣＡＴＶ用受信端末装置の電源オン操作する操作部を備え，該操作部によって前記ＣＡＴＶ用受信端末装置の電源オン操作と，これに連動して前記受信装置又は前記パーソナルコンピュータの何れか一方若しくは両方が，動作状態となるように構成したので，
ＣＡＴＶ用受信端末装置の電源操作に連動させて，各部を動作状態にできるばかりでなく，前記入力装置に備えられた操作部を操作することによって，各部を連携させて動作状態にするように構成することによって，取り扱いが更に容易と成るＣＡＴＶ用受信端末装置を提供できる。
【００１３】
請求項４の発明は，請求項２又は請求項３に記載のＣＡＴＶ用受信端末装置には，少なくとも，前記入力装置と前記ＣＡＴＶ用受信端末装置とを接続するための少なくとも１つの第１の接続端子と，前記パーソナルコンピュータと前記ＣＡＴＶ用受信端末装置とを接続するための少なくとも１つの第２の接続端子とを備え，前記入力装置と前記パーソナルコンピュータとは前記ＣＡＴＶ用受信端末装置を介して接続されるように構成したので，
前記ＣＡＴＶ用受信端末装置は，パーソナルコンピュータを着脱自在とすることができるばかりでなく，入力装置としてのキーボードやマウス等を直接テレビに接続することによって，専用のリモコン装置だけでなく，該リモコン装置に対応する信号を前記入力装置からダイレクトにＣＡＴＶ用受信端末装置に入力することによって，ＣＡＴＶ用受信端末装置のチャンネルなどの設定を行ったり，各種設定を行ったり，パソコンの電源が入れてない状態においてもＣＡＴＶ用受信端末装置のリモートコントロールを行うことができるテレビ受信専用機としても使用でき，従来のようにリモコン装置がＣＡＴＶ用受信端末装置の近傍になくて，リモコン装置をいちいち探し出し，当該リモコンの操作によって前記表示装置を操作するといった手間もかからないことになり，誰でも簡単な操作でテレビ放送のチャンネルや音声の選択等ができるＣＡＴＶ用受信端末装置を提供できる。
【００１４】
請求項５の発明は，請求項１乃至請求項４に記載のＣＡＴＶ用受信端末装置において，前記ＣＡＴＶ用受信端末装置に，ＨＤＤ又はＤＶＤレコーダを内蔵し，前記受信装置が受信したＣＡＴＶ信号を，前記ＨＤＤ又はＤＶＤレコーダの記録媒体に記録するように構成したので，
受信装置とレコーダとの配線が不要になり，手軽にＣＡＴＶ信号の録画・再生ができる。
【発明を実施するための最良の形態】
【００１５】
以下に，本発明を具体化した実施形態の例を，図面を基に詳細に説明する。
図１は本発明に係るＣＡＴＶ受信及びコンピュータシステムの説明図を示している。
図２は本発明に係るＣＡＴＶ受信及びコンピュータシステムの説明図を示している。
【実施例１】
【００１６】
１はＣＡＴＶ用受信端末装置であり本実施例では液晶ディスプレイを使用している。ＣＡＴＶ用受信端末装置１は薄型が望ましく液晶ディスプレイ以外にも，プラズマディスプレイやＳＥＤ（Surface-conduction  Electron-emitter  Display（表面伝導型電子放出素子ディスプレイ）などが使用される。また，ＣＡＴＶ用受信端末装置１の筐体はたとえば合成樹脂で形成されており，軽量でありかつ強度を実現している。また，ＣＡＴＶ用受信端末装置１の筐体内にはＣＡＴＶ信号を受信するための受信装置５が内蔵されている。また，ＣＡＴＶ用受信端末装置１の筐体の表面には前記受信装置５にＣＡＴＶ信号を入力するための入力端子１ａと，パソコン１０と接続してパソコン１０が生成した画像を表示するためのビデオ入力端子1ｂと，前記ＣＡＴＶ用受信端末装置１に動作電源を供給するための電源入力端子1ｃが備えられている。また，ＣＡＴＶ用受信端末装置１の筐体の表面には図示しない赤外線リモコン８の受光部が備えさせてある。また，ＣＡＴＶ用受信端末装置１には音声出力機能も内蔵している。
【００１７】
受信装置５は本実施例においては，ＣＡＴＶセンター５０のヘッドエンド装置５２から送出されたＣＡＴＶ信号を受信するためのものである。
ＣＡＴＶセンター５０においては，地上放送や衛星放送からアンテナ５２で受信した受信信号や，自主放送などをＣＡＴＶ伝送路に伝送しやすい信号に変換して，ヘッドエンド５２から幹線としての同軸ケーブルを介し加入者側に送出する。このＣＡＴＶセンター局ではセンターモデム５５を介してハブ５８に接続されており，更にハブ５８にはルータ５９を介してＷＡＮ（Ｗｏｒｌｄ  Ａｒｅａ  Ｎｅｔｏｗｏｒｋ）に接続されている。
【００１８】
ＣＡＴＶセンター局から幹線２０を介して送出された信号は，幹線分配増幅器２１，幹線分岐増幅器２２，延長増幅器２３，タップオフ２４，保安器２６を介して加入者宅に引き込み線２８を介して引き込まれる。
引き込まれた信号は，信号分配器１６によって分配されている。この分配器はＣＡＴＶセンターからの信号を受信端末側に引き込むと共に，受信端末側からＣＡＴＶの上り回線を使って，ＣＡＴＶセンター局との通信や，前記ＷＡＮと接続されている。
【００１９】
受信装置５には前記ＣＡＴＶ信号を入力するためのＣＡＴＶ入力端子を備えており，前記ＣＡＴＶ用受信端末装置１の筐体の表面から，前記ＣＡＴＶ入力端子が直接突出するように構成されている。
本実施例においてはこの受信装置５はＣＡＴＶ信号を受信する説明をしたが，地上波の再送信ばかりでなく，ＣＡＴＶで流されるパススルーや６４ＱＡＭのような変調方式にも対応させれば更によい。
【００２０】
リモコン装置８は赤外線リモコンであり，前記ＣＡＴＶ用受信端末装置1及び，受信装置５を遠隔制御するためのものである。たとえば，受信チャネルの選局や音量調整，画面の明るさや色合い調整を行うことができる。
７は電源アダプタであり，商用電源ＡＣ１００Ｖから前記ＣＡＴＶ用受信端末装置１を動作せせるための動作電源ＤＣ１５Ｖに変換するためのものである。
【００２１】
パーソナルコンピュータ１０(パソコン）は周知であり，その内部には中央処理装置としてのＣＰＵや，記憶装置としてのＨＤＤ，ＤＲＡＭ，ＲＯＭや，各種入出力インターフェース回路が実装されている。また，前記パソコン１０に命令を指示するために，入力装置１２を接続するための入力端子１０ａ及び，パソコン１０が生成した画像データを前記ＣＡＴＶ用受信端末装置１に出力する出力端子１０ｂ，パソコン１０が生成したデータをプリンタ１５に出力する出力端子１０ｃ，ＬＡＮと接続するための端子１０ｄ及び，パソコン１０に動作電源を供給するための電源端子１０ｅを備えている。
入力装置１２は前記パソコン１０に命令を指示するために設けられており，フルキーボードやマウスやトラックボールなどが用いられる。
なお，１７はパソコン１０が生成した画像データを前記ＣＡＴＶ用受信端末装置１に出力するための接続ケーブルである。また，２９はＬＡＮケーブルであり，パソコン１０とＬＡＮを接続するためのものである。周知の無線ＬＡＮにより接続してもよい。
【００２２】
次に動作について説明する。
まず，ＣＡＴＶ用受信端末装置１の電源が投入されると，ＣＡＴＶセンターからの信号が伝送ケーブル２８を介して，ＣＡＴＶ用受信端末装置１のＣＡＴＶ入力端子１ａに供給される。そして，ＣＡＴＶ入力端子１ａに供給されたＣＡＴＶ信号は前記ＣＡＴＶ用受信端末装置１に内蔵された受信装置５に入力される。受信装置５に入力されたＣＡＴＶ信号は選局・復調され，ＣＡＴＶ用受信端末装置１にて画像及び音声が出力されるように構成されており，ＣＡＴＶ用受信端末装置はコンピュータの電源を立ち上げる必要のない，簡単操作のテレビ受信機として単独で使用できる。
【００２３】
次に，パソコン１０の電源が投入されると，入力装置１２を介してパソコン１０に入力した命令がパソコンに入力可能となる。そして，入力された命令はパソコン内で解読され，該命令に従って処理される。そして，パソコン１０が生成した画像データは接続ケーブル１７を介してＣＡＴＶ用受信端末装置１に伝送され，ＣＡＴＶ用受信端末装置１に画像を表示する。
尚，プリンタ１５は必要に応じて接続してもよい。更にはパソコン１０にケーブルモデム１９を接続すれば，前記信号分配器１６からＣＡＴＶ伝送路を介してＷＡＮに接続可能となる。
【実施例２】
【００２４】
次に本発明の第２の実施形態として図２を参照して説明する。尚，以下の説明では，上記第１の実施形態のＣＡＴＶ用受信端末装置と同様の構成要素については同一符号を付与し，詳細な説明は省略する。                            
【００２５】
本願の第２実施形態のＣＡＴＶ用受信端末装置１の特徴は，当該ＣＡＴＶ用受信端末装置に前記ＣＡＴＶ伝送路からの信号を入力するためのＣＡＴＶ入力端子１ａ以外に，他の外部装置を接続するための接続端子が複数個備えられていることである。本願の実施例においては，例えば前記入力装置１２を接続する接続端子１ｄと，パソコンを接続する接続端子１ｅが備えられている。
ＣＡＴＶ用受信端末装置の内部には，図示されていない例えばハブが備えられており，このハブを介して前記入力装置１２と前記パソコン１０とは接続されるように構成されている。
【００２６】
このＣＡＴＶ用受信端末装置の動作について説明する。
まず，ＣＡＴＶ用受信端末装置１の電源が投入されると，ＣＡＴＶ伝送路からの信号が伝送ケーブル２８を介して，ＣＡＴＶ用受信端末装置１のＣＡＴＶ入力端子１ａに供給される。そして，ＣＡＴＶ入力端子１ａに供給されたＣＡＴＶ信号は前記ＣＡＴＶ用受信端末装置１に内蔵された受信装置５に入力される。受信装置５に入力されたＣＡＴＶ信号は選局・復調され，ＣＡＴＶ用受信端末装置１にて画像及び音声が出力されるように構成されており，ＣＡＴＶ用受信端末装置はコンピュータの電源を立ち上げる必要のない，簡単操作のテレビ受信機として単独で使用できる。
【００２７】
接続端子１ｄには入力装置１２として，キーボードやマウスが接続される。これらの入力装置１２から入力された命令は前記ハブを介して信号処理されてＣＡＴＶ用受信端末装置１をコントロールすることができるのである。つまり，本願のＣＡＴＶ用受信端末装置１においては，パソコン用の入力装置１２をＣＡＴＶ用受信端末装置１のリモコン装置として使用できるので，従来のようにリモコン装置８がＣＡＴＶ用受信端末装置１の近傍になくて，リモコン装置８をいちいち探し出し，当該リモコンの操作によって前記ＣＡＴＶ用受信端末装置１を操作するといった手間もかからないことになり，誰でも簡単な操作でテレビ放送ばかりでなくＣＡＴＶのチャンネルや音声の選択等ができるＣＡＴＶ用受信端末装置１を提供できる。
尚，本発明は上記実施の形態に限定されるものではなく，以下に例示するように，本発明の趣旨を逸脱しない範囲で各部の構成を適宜に変更して実施することも可能である。
【図面の簡単な説明】
【００２８】
【図１】本発明に係る「放送受信及びコンピュータシステム」の説明図である。
【図２】第２の実施形態に係る「放送受信及びコンピュータシステム」の説明図である。
【符号の説明】
【００２９】
１…ＣＡＴＶ用受信端末装置，５…受信装置，８…リモコン装置，１０…パーソナルコンピュータ，１２…入力装置，１５…プリンタ，１６…分配器，１７…ＶＧＡ用コード，１９…ケーブルモデム，２０…幹線，２１…幹線分岐増幅器，２２…幹線分岐増幅器，２３…分岐増幅器，２４…タップオフ，２６…保安器，２９…引き込み線，５０…センター局，５２…アンテナ，５３…ヘッドエンド，３４…，５５…ケーブルモデム管理装置，５８…ハブ，５９…ルータ
【図１】
2006324932.tif 000003
【図２】
2006324932.tif 000004